(57)【要約】【課題】扉面や壁面等の加工の必要が無く、入退室に手間をかけずに作業の効率化を図る。【解決手段】室外側取手１Ａには、非接触ＩＣカードに予め記憶された錠前の施解錠に必要なデータを非接触で読み取るリーダー２のアンテナ部２ａが一体に設けられる。室内側取手１Ｂには、錠前の解錠又は施錠を指示する操作ボタン３ａを有する操作器３が一体に設けられる。コントロール部４は、リーダー２のアンテナ部２ａが受信した非接触ＩＣカードのデータの正当性を判別して正常認証したときに錠前の解錠又は施錠を指示する信号を出力し、操作器３からの錠前の解錠又は施錠を指示する信号を出力する。電気錠５は、コントロール部４からの解錠又は施錠を指示する信号と現在の錠前の施解錠状態及び扉の開閉状態に応じて解錠又は施錠制御される。【選択図】図１
2008184739.tif 000002
【特許請求の範囲】
【請求項１】
電気錠の錠前の施解錠に必要なデータが予め記憶された非接触ＩＣカードが所定領域に近接したときに、該カードのデータを非接触で読み取るリーダーのアンテナ部が室外側取手または室内側取手の少なくとも一方の取手に一体に設けられたことを特徴とする電気錠用取手。
【請求項２】
少なくとも電気錠の錠前の解錠又は施錠を指示する操作ボタンを有する操作器が室内側取手に一体に設けられたことを特徴とする電気錠用取手。
【請求項３】
電気錠の錠前の施解錠に必要なデータが予め記憶された非接触ＩＣカードが所定領域に近接したときに、該カードのデータを非接触で読み取るリーダーのアンテナ部が室外側取手に一体に設けられ、かつ少なくとも前記錠前の解錠又は施錠を指示する操作ボタンを有する操作器が室内側取手に一体に設けられたことを特徴とする電気錠用取手。
【請求項４】
電気錠の錠前の施解錠に必要なデータが予め記憶された非接触ＩＣカードが所定領域に近接したときに、該カードのデータを非接触で読み取るリーダーのアンテナ部が室外側取手に一体に設けられた電気錠用取手と、
前記リーダーから取得したデータの正当性を判別して正常認証したときに前記錠前の解錠又は施錠を指示する信号を出力するコントロール部とを備え、
前記コントロール部からの前記解錠又は施錠を指示する信号と現在の錠前の施解錠状態及び扉の開閉状態に応じて前記電気錠が解錠制御又は施錠制御されることを特徴とする電気錠システム。
【請求項５】
少なくとも電気錠の錠前の解錠又は施錠を指示する操作ボタンを有する操作器が室内側取手に一体に設けられた電気錠用取手と、
前記操作器からの前記錠前の解錠又は施錠を指示する信号を出力するコントロール部とを備え、
前記コントロール部からの前記解錠又は施錠を指示する信号と現在の錠前の施解錠状態及び扉の開閉状態に応じて前記電気錠が解錠制御又は施錠制御されることを特徴とする電気錠システム。
【請求項６】
電気錠の錠前の施解錠に必要なデータが予め記憶された非接触ＩＣカードが所定領域に近接したときに、該カードのデータを非接触で読み取るリーダーのアンテナ部が室外側取手に一体に設けられ、かつ少なくとも前記錠前の解錠又は施錠を指示する操作ボタンを有する操作器が室内側取手に一体に設けられた電気錠用取手と、
前記リーダーから取得したデータの正当性を判別して正常認証したときに前記錠前の解錠又は施錠を指示する信号を出力するとともに、前記操作器からの前記錠前の解錠又は施錠を指示する信号を出力するコントロール部とを備え、
前記コントロール部からの前記解錠又は施錠を指示する信号と現在の錠前の施解錠状態及び扉の開閉状態に応じて前記電気錠が解錠制御又は施錠制御されることを特徴とする電気錠システム。
【発明の詳細な説明】
【技術分野】
【０００１】
本発明は、入退室にかかる手間を軽減できる電気錠用取手及び該取手を用いた電気錠システムに関するものである。
【背景技術】
【０００２】
従来の電気錠システムに採用される室外側のリーダーは、電気錠の錠前の施解錠に必要なデータが予め記憶されたカード状記憶媒体からデータを読み取るものであるが、電気錠とは別機器になっており、取手から離れた位置の室外側の扉面や壁面等に取り付けられていた。また同様に、室内側から電気錠の錠前の解錠又は施錠を指示する操作ボタンを有する操作器についても、取手から離れた位置の室内側の扉面や壁面等に取り付けられていた。
【０００３】
そして、この種の従来の電気錠システムにおいて、カード状記憶媒体を用いて室外側から電気錠の錠前を解錠して開扉する場合には、取手から離れた位置のリーダーによりカード状記憶媒体のデータを読み取って解錠操作を行い、リーダーがカード状記憶媒体から読み取ったデータが正常認証されて電気錠の錠前が解錠した後、取手を回して開扉する操作を行っていた。また、室内側からの操作器の操作により電気錠の錠前を解錠して開扉する場合には、取手から離れた位置の操作器の操作ボタン（解錠ボタン）を押下し、電気錠の錠前が解錠した後、取手を回して開扉する操作を行っていた。
【０００４】
尚、この種の従来の電気錠システムとしては、例えば下記特許文献１に開示されるものが知られている。図８（ａ），（ｂ）は下記特許文献１に開示される電気錠システムの概略斜視図である。図８（ａ），（ｂ）に示すように、各部屋の扉毎に設けられる錠装置１０１は、螺子などの固定手段によって扉２００の所定箇所に配設され、扉２００を閉めた際に解錠用ソレノイドに通電して自動的に本締めボルト１０２の進退を行うものである。この錠装置１０１には、手動式カードリーダ１０５と、解錠表示をする表示灯１０６と、鍵穴１０７及びサムターン１０８が設けられている。手動式カードリーダ１０５は、カード通過溝１０３が形成され、カード１０４を手動で通過溝１０３内を走査する形式のものである。
【特許文献１】特公昭５８−５１５９３号公報
【発明の開示】
【発明が解決しようとする課題】
【０００５】
上述した従来の電気錠システムでは、特に、カード状記憶媒体を用いて室外側から電気錠の錠前を解錠して開扉する場合、カード状記憶媒体のデータをリーダーに読み取らせる解錠操作と、正常認証による解錠後に取手を回して扉を開く開扉操作とによる２つの操作距離が長くなってしまい、入退室に手間がかかり、非常にわずらわしい作業となっていた。
【０００６】
また、例えば来客者を出迎えるため、室内側から電気錠の錠前を解錠して開扉するような場合には、操作器が電気錠近辺の扉面や壁面等に設置されていても、操作器の操作と取手を回して扉を開く操作とによる２つの操作距離が長くなる。その結果、操作器を使用せずにサムターンの回転操作により電気錠の錠前を解錠することが多く、リーダーと同様の理由により、入退室に手間がかかり、操作器を効率的に利用することができなかった。さらに、リーダーや操作器を設置する場合には、扉面や壁面等を別途加工する必要があった。
【０００７】
そこで、本発明は上記問題点に鑑みてなされたものであり、扉面や壁面等を別途加工する必要が無く、入退室に手間をかけずに作業の効率化が図れる電気錠用取手及び該取手を用いた電気錠システムを提供することを目的とするものである。
【課題を解決するための手段】
【０００８】
上記した目的を達成するために、請求項１の電気錠用取手は、電気錠の錠前の施解錠に必要なデータが予め記憶された非接触ＩＣカードが所定領域に近接したときに、該カードのデータを非接触で読み取るリーダーのアンテナ部が室外側取手または室内側取手の少なくとも一方の取手に一体に設けられたことを特徴としている。
【０００９】
請求項２の電気錠用取手は、少なくとも電気錠の錠前の解錠又は施錠を指示する操作ボタンを有する操作器が室内側取手に一体に設けられたことを特徴としている。
【００１０】
請求項３の電気錠用取手は、電気錠の錠前の施解錠に必要なデータが予め記憶された非接触ＩＣカードが所定領域に近接したときに、該カードのデータを非接触で読み取るリーダーのアンテナ部が室外側取手に一体に設けられ、かつ少なくとも前記錠前の解錠又は施錠を指示する操作ボタンを有する操作器が室内側取手に一体に設けられたことを特徴としている。
【００１１】
請求項４の電気錠システムは、電気錠の錠前の施解錠に必要なデータが予め記憶された非接触ＩＣカードが所定領域に近接したときに、該カードのデータを非接触で読み取るリーダーのアンテナ部が室外側取手に一体に設けられた電気錠用取手と、
前記リーダーから取得したデータの正当性を判別して正常認証したときに前記錠前の解錠又は施錠を指示する信号を出力するコントロール部とを備え、
前記コントロール部からの前記解錠又は施錠を指示する信号と現在の錠前の施解錠状態及び扉の開閉状態に応じて前記電気錠が解錠制御又は施錠制御されることを特徴としている。
【００１２】
請求項５の電気錠システムは、少なくとも電気錠の錠前の解錠又は施錠を指示する操作ボタンを有する操作器が室内側取手に一体に設けられた電気錠用取手と、
前記操作器からの前記錠前の解錠又は施錠を指示する信号を出力するコントロール部とを備え、
前記コントロール部からの前記解錠又は施錠を指示する信号と現在の錠前の施解錠状態及び扉の開閉状態に応じて前記電気錠が解錠制御又は施錠制御されることを特徴としている。
【００１３】
請求項６の電気錠システムは、電気錠の錠前の施解錠に必要なデータが予め記憶された非接触ＩＣカードが所定領域に近接したときに、該カードのデータを非接触で読み取るリーダーのアンテナ部が室外側取手に一体に設けられ、かつ少なくとも前記錠前の解錠又は施錠を指示する操作ボタンを有する操作器が室内側取手に一体に設けられた電気錠用取手と、
前記リーダーから取得したデータの正当性を判別して正常認証したときに前記錠前の解錠又は施錠を指示する信号を出力するとともに、前記操作器からの前記錠前の解錠又は施錠を指示する信号を出力するコントロール部とを備え、
前記コントロール部からの前記解錠又は施錠を指示する信号と現在の錠前の施解錠状態及び扉の開閉状態に応じて前記電気錠が解錠制御又は施錠制御されることを特徴としている。
【発明の効果】
【００１４】
本発明によれば、室外側や室内側から行う解錠操作と開扉操作の動作距離が従来に比べ極めて短くなり、入退室にかかる手間が軽減することができる。しかも、リーダーのアンテナ部や操作器が取手に一体化された構成なので、従来のような扉面や壁面等にリーダーや操作器を設置するための加工が不必要となる。
【発明を実施するための最良の形態】
【００１５】
以下、本発明の最良の形態について、添付した図面を参照しながらそれぞれ詳細に説明する。図１は本発明に係る電気錠用取手をなす室外側取手の部分斜視図、図２は本発明に係る電気錠用取手をなす室内側取手の部分斜視図、図３（ａ）は本発明に係る電気錠用取手をなす室外側取手に一体化されるリーダーのアンテナ部の平面図、図３（ｂ）は本発明に係る電気錠用取手をなす室内側取手に一体化される操作器の平面図、図４は本発明に係る電気錠用取手を用いた電気錠システムの第１実施形態の概略構成図、図５は第１実施形態の電気錠システムのブロック構成図、図６は本発明に係る電気錠用取手を用いた電気錠システムの第２実施形態の概略構成図、図７は第２実施形態の電気錠システムのブロック構成図である。
【００１６】
本例の電気錠用取手１は、図１及び図２に示すように、室外側の扉面に設けられる室外側取手１Ａと、この室外側取手１Ａと対向して室内側の扉面に設けられる室内側取手１Ｂとからなる。
【００１７】
図１に示すように、室外側取手１Ａの一部位にはリーダー２のアンテナ部２ａが一体に組み込まれている。具体的に、リーダー２のアンテナ部２ａは、図３（ａ）に示すような平面状をなし、図１に示すように、扉を開閉するべく室外側取手１Ａの把持部１ａを把持するときの邪魔にならない位置で把持部１ａに併設している。尚、リーダー２の構成については、追って詳述する。
【００１８】
図２に示すように、室内側取手１Ｂの一部位には操作器３が一体に組み込まれている。具体的に、操作器３は、図３（ｂ）に示すような錠前の施解錠を指示する操作ボタン３ａを有している。この操作ボタン３ａは、図２に示すように、扉を開閉するべく室内側取手１Ｂの把持部１ｂを把持したときに、親指で押下可能な位置に把持部１ｂと併設して設けるのが好ましい。尚、操作器３の構成については、追って詳述する。
【００１９】
次に、上述した電気錠用取手１を用いた電気錠システム１１の各実施形態について図４乃至図７を参照しながら説明する。
【００２０】
まず、第１実施形態の電気錠システム１１（１１Ａ）は、図４及び図５に示すように、電気錠用取手１をなす室外側取手１Ａにアンテナ部２ａを一体化したリーダー２と、電気錠用取手１をなす室内側取手１Ｂに一体化した操作器３と、コントロール部４と、制御機能付電気錠５とを備えて概略構成される。
【００２１】
リーダー２は、前述したように、電気錠用取手１をなす室外側取手１Ａの一部位にアンテナ部２ａが一体化して設けられる。リーダー２は、図５に示すように、アンテナ部２ａ、データ取得部２ｂ、通信部２ｃを備えており、アンテナ部２ａ以外のデータ取得部２ｂ及び通信部２ｃは例えば錠ケース２２内に収容され、データ取得部２ｂがアンテナ部２ａに配線接続される。アンテナ部２ａは、前述したように、表面側に位置して室外側取手１Ａの把持部１ａに併設しており、電気錠の錠前の施解錠に必要なデータ（利用者を特定するＩＤ等）が予め記憶された例えばＦｅｌｉＣａ（ソニー株式会社が開発した非接触ＩＣカード技術方式による不揮発メモリと無線通信チップを内蔵した樹脂製のカード）などの不図示の非接触ＩＣカードが所定領域に近接したときに、その非接触ＩＣカードのデータを非接触で受信してデータ取得部２ｂに出力している。データ取得部２ｂは、アンテナ部２ａが受信した非接触ＩＣカードのデータを取得し、この取得したデータを通信部２ｃに出力している。通信部２ｃは、コントロール部４からの制御により、データ取得部２ｂから入力される非接触ＩＣカードのデータをコントロール部４に送信している。
【００２２】
操作器３は、前述したように、電気錠用取手１をなす室内側取手１Ｂの一部位に一体化して設けられる。操作器３は、図５に示すように、操作ボタン３ａをなす施錠ボタン３ａａ及び解錠ボタン３ａｂ、自動施錠表示部３ｂを備えている。施錠ボタン３ａａは、錠前の施錠を指示するときに押下される。また、解錠ボタン３ａｂは、錠前の解錠を指示するときに押下される。この錠前の施錠や解錠を指示する操作ボタン３ａをなす施錠ボタン３ａａ及び解錠ボタン３ａｂは、前述したように、室内側取手１Ｂの把持部１ｂを把持したときに、親指で押下可能な位置に配設される。
【００２３】
自動施錠表示部３ｂは、例えば半導体発光素子（ＬＥＤ）等で構成され、錠前を解錠して開扉した後の閉扉時に自動的に錠前を施錠状態にする自動施錠モードに設定されているときに点灯表示するものである。
【００２４】
尚、操作器３は、少なくとも錠前の解錠又は施錠を指示する操作ボタン３ａを有する構成であれば良く、図示のものに限定されるものではない。
【００２５】
コントロール部４は、例えば回路基板として錠ケース２２内に配設され、リーダー２及び操作器３と配線接続されている。このコントロール部４は、図５に示すように、制御部４ａ、入出力インターフェース４ｂを備えている。
【００２６】
制御部４ａは、通信制御部４ａａと操作器制御部４ａｂからなる。通信制御部４ａａは、リーダー２の通信部２ｃとの間で通信を行い、リーダー２から非接触ＩＣカードのデータを取得し、この取得したデータの正当性を判別して正常認証したときに錠前の解錠又は施錠を指示する制御信号を制御機能付電気錠５に出力している。
【００２７】
操作器制御部４ａｂは、操作器３の操作ボタン３ａの操作の有無に基づく操作信号を取得し、この取得した操作信号に基づいて錠前の解錠又は施錠を指示する制御信号を制御機能付電気錠５に出力している。
【００２８】
入出力インターフェース４ｂは、通信制御部４ａａが取得した非接触ＩＣカードのデータの認証結果、操作器制御部４ａｂが取得する操作器３からの操作信号、制御機能付電気錠５からの錠前の施解錠状態や扉の開閉状態を含む制御結果等を出入管理装置６に出力している。
【００２９】
制御機能付電気錠５は、施解錠機構５ａ、状態監視部５ｂ、施解錠制御部５ｃを備えている。
【００３０】
施解錠機構５ａは、例えば扉枠の係合穴（不図示）に対して進退移動可能な図１や図２に示すようなデッドボルト２１をモーターやソレノイドで駆動する周知の機構として錠ケース２２に収容され、施解錠制御部５ｃからモーターやソレノイドに対する通電によって駆動が制御される。
【００３１】
尚、制御機能付電気錠５の錠前は、室内側から図２に示すようなサムターン２３の回転操作でデッドボルト２１を不図示の係合穴に対して進退移動させることにより手動でも施解錠が行えるようになっている。
【００３２】
状態監視部５ｂは、例えばマイクロスイッチやリードスイッチなどの検知センサで構成され、錠前の施解錠状態や扉の開閉状態を常時監視しており、その監視情報をモニタ信号として施解錠制御部５ｃに出力している。
【００３３】
施解錠制御部５ｃは、コントロール部４の通信制御部４ａａや操作器制御部４ａｂから制御信号が入力されたときに、状態監視部５ｂからのモニタ信号に応じて施解錠機構５ａを駆動することにより錠前を施解錠制御している。すなわち、施解錠制御部５ｃは、制御信号が入力され、現在錠前が施錠状態で扉が閉状態であれば、施解錠機構５ａにおけるモーターやソレノイドに通電してデッドボルト２１を引き込み、不図示の係止穴に対するデッドボルト２１の係止を解除して錠前を解錠制御する。これに対し、施解錠制御部５ｃは、制御信号が入力され、現在錠前が解錠状態で扉が開状態であれば、施解錠機構５ａにおけるモーターやソレノイドに通電してデッドボルト２１を押し出し、不図示の係止穴にデッドボルト２１を係止して錠前を施錠制御する。また、施解錠制御部５ｃは、状態監視部５ｂからのモニタ信号や制御結果等をコントロール部４に出力している。
【００３４】
出入管理装置６は、必要に応じてコントロール部４の入出力インターフェース４ｂに通信可能に接続され、入出力インターフェース４ｂを介してコントロール部４から送信される情報（例えば非接触ＩＣカードのデータの認証結果、操作器３からの操作信号や制御機能付電気錠５からの錠前の施解錠状態や扉の開閉状態を含む制御結果等に基づいて出入を管理している。
【００３５】
次に、第２実施形態の電気錠システム１１（１１Ｂ）は、図６及び図７に示すように、電気錠用取手１をなす室外側取手１Ａにアンテナ部２ａを一体化したリーダー２と、電気錠用取手１をなす室内側取手１Ｂに一体化した操作器３と、コントロール部４と、出入管理装置６と、電気錠制御盤７と、電気錠８とを備えて概略構成される。
【００３６】
尚、第２実施形態の電気錠システム１１Ｂにおいて、上述した第１実施形態の電気錠システム１１Ａと同一の構成要素には同一番号を付し、第１実施形態の電気錠システム１１Ａと異なる構成についてのみ説明する。
【００３７】
第２実施形態の電気錠システム１１Ｂは、コントロール部４の入出力インターフェース４ｂに電気錠制御盤７が配線接続されている。また、電気錠制御盤７は、周知の蝶番型や蛇腹型の通電金具を介して電気錠８に配線接続されている。電気錠制御盤７には、コントロール部４から入出力インターフェース４ｂを介して制御信号が入力している。この制御信号が入力された電気錠制御盤７は、現在の錠前の施解錠状態や扉の開閉状態に応じて電気錠８のモーターやソレノイドに通電し、この通電によりデッドボルト２１を扉枠の不図示の係止穴に対して進退移動させることで錠前を施解錠制御している。
【００３８】
すなわち、この第２実施形態の電気錠システム１１Ｂでは、リーダー２がアンテナ部２ａから受信した非接触ＩＣカードのデータがコントロール部４に送信されると、コントロール部４の通信制御部４ａａから入出力インターフェース４ｂを介して電気錠制御盤７に制御信号が入力される。同様に、操作器３の操作信号がコントロール部４に送信されると、コントロール部４の操作器制御部４ａｂから入出力インターフェース４ｂを介して電気錠制御盤７に制御信号が入力される。
【００３９】
電気錠制御盤７は、制御信号が入力されると、現在の電気錠８の錠前の施解錠状態及び扉の開閉状態に応じて電気錠８の錠前を施錠又は解錠制御する。すなわち、電気錠制御盤７は、制御信号が入力され、現在錠前が施錠状態で扉が閉状態であれば、電気錠８におけるモーターやソレノイドに通電してデッドボルト２１を引き込み、不図示の係止穴に対するデッドボルト２１の係止を解除して錠前を解錠制御する。これに対し、電気錠制御盤７は、制御信号が入力され、現在錠前が解錠状態で扉が開状態であれば、電気錠８におけるモーターやソレノイドに通電してデッドボルト２１を押し出し、不図示の係止穴にデッドボルト２１を係止して錠前を施錠制御する。また、電気錠制御盤７は、現在の電気錠８の錠前の施解錠状態や扉の開閉状態を示すモニタ信号や制御結果等を出入管理装置６に出力している。
【００４０】
ところで、上述した各実施形態の電気錠システム１１Ａ，１１Ｂにおいて、コントロール部４の入出力インターフェース４ｂに配線接続される出入管理装置６を省く構成としても良い。
【００４１】
このように、本例の電気錠システム１１（１１Ａ，１１Ｂ）では、電気錠用取手１として、非接触ＩＣカードのデータを読み取るリーダー２のアンテナ部２ａを室外側取手１Ａの一部位に一体化させ、かつ施解錠操作を行うための操作器３を室内側取手１Ｂの一部位に一体化させて用いている。尚、リーダー２のアンテナ部２ａ及び操作器３は、取手を把持する際に邪魔にならない位置に設けられる。
【００４２】
そして、例えば錠前の施解錠に必要なデータが記憶された非接触ＩＣカード（カード状記憶媒体）を用いて室外側から錠前を解錠して開扉する場合には、室外側取手１Ａに一体化されたリーダー２のアンテナ部２ａに非接触ＩＣカードを近づけてかざし（解錠操作）、非接触ＩＣカードのデータをリーダー２のアンテナ部２ａから読み取らせる。そして、リーダー２が読み取った非接触ＩＣカードのデータが正常認証されて錠前が解錠制御されると、アンテナ部２ａと近接して位置する室外側取手１Ａの把持部１ａを把持して扉を開く（開扉操作）。また、例えば来客者を出迎えるため、室内側から電気錠の錠前を解錠して開扉するような場合には、室内側取手１Ｂに一体化された操作器３の解錠ボタン３ａｂを押下する（解錠操作）。そして、解錠ボタン３ａｂの押下により錠前が解錠制御されると、解錠ボタン３ａｂと近接して位置する室内側取手１Ｂの把持部１ｂを把持して扉を開き（開扉操作）、来客者を出迎える。
【００４３】
これにより、室外側や室内側から行う解錠操作と開扉操作の動作距離が従来に比べ極めて短くなり、入退室にかかる手間が軽減することができる。しかも、本例の電気錠用取手１は、リーダー２のアンテナ部２ａが室外側取手１Ａに一体に組み込まれ、操作器３が室内側取手１Ｂに一体に組み込れた構成なので、従来のような扉面や壁面等にリーダー２や操作器３を設置するための加工が不必要となり、施工性の向上を図ることができる。
【００４４】
ところで、上述した実施形態における電気錠用取手１は、リーダー２のアンテナ部２ａが一体化された室外側取手１Ａと、操作器３（操作ボタン３ａ、自動施錠表示部３ｂ）が一体化された室内側取手１Ｂとからなる構成として説明したが、リーダー２のアンテナ部２ａが一体化された室外側取手１Ａのみ、又は操作器３が一体化された室内側取手１Ｂのみを電気錠用取手１として採用することもできる。
【００４５】
また、例えばコンピュータルーム等のセキュリティを重視する部屋の電気錠システムの場合には、室外側取手１Ａと室内側取手１Ｂの両方の取手にリーダー２のアンテナ部２ａを一体化して電気錠用取手１を構成して採用すれば、室外側から入室するときだけでなく、室内側から出るときにも非接触ＩＣカードによる認証を行って部屋への入退室を管理することができる。
【図面の簡単な説明】
【００４６】
【図１】本発明に係る電気錠用取手をなす室外側取手の部分斜視図である。
【図２】本発明に係る電気錠用取手をなす室内側取手の部分斜視図である。
【図３】（ａ）本発明に係る電気錠用取手をなす室外側取手に一体化されるリーダーのアンテナ部の平面図である。  （ｂ）本発明に係る電気錠用取手をなす室内側取手に一体化される操作器の平面図である。
【図４】本発明に係る電気錠用取手を用いた電気錠システムの第１実施形態の概略構成図である。
【図５】本発明に係る第１実施形態の電気錠システムのブロック構成図である。
【図６】本発明に係る電気錠用取手を用いた電気錠システムの第２実施形態の概略構成図である。
【図７】本発明に係る第２実施形態の電気錠システムのブロック構成図である。
【図８】（ａ），（ｂ）特許文献１に開示される従来の電気錠システムの一例を示す概略斜視図である。
【符号の説明】
【００４７】
１  電気錠用取手
１Ａ  室外側取手
１Ｂ  室内側取手
２  リーダー
２ａ  アンテナ部
２ｂ  データ取得部
２ｃ  通信部
３  操作器
３ａ  操作ボタン
３ａａ  施錠ボタン
３ａｂ  解錠ボタン
３ｂ  自動施錠表示部
４  コントロール部
４ａ  制御部
４ａａ  通信制御部
４ａｂ  操作器制御部
４ｂ  入出力インターフェース
５  制御機能付電気錠
５ａ  施解錠機構
５ｂ  状態監視部
５ｃ  施解錠制御部
６  出入管理装置
７  電気錠制御盤
８  電気錠
１１（１１Ａ，１１Ｂ）  電気錠システム
２１  デッドボルト
２２  錠ケース
２３  サムターン
【図１】
2008184739.tif 000003
【図２】
2008184739.tif 000004
【図３】
2008184739.tif 000005
【図４】
2008184739.tif 000006
【図５】
2008184739.tif 000007
【図６】
2008184739.tif 000008
【図７】
2008184739.tif 000009
【図８】
2008184739.tif 000010